(57)【要約】  本発明はコスト効率よく製造されることができるＵ字形磁石１１０に関する。一実施形態において、磁石１１０はヨーク１２０と、ヨーク１２０のアーム１２２に取り付けられるが当該アームと一体でない少なくとも一つの磁極端１３０とを有する。オプションとして、ヨーク１２０と磁極端１３０は異なる材料から、特にそれぞれ鉄及びコバルト‐鉄から作られる。
2016512654.tif 000002
【特許請求の範囲】
【請求項１】
特にセンサ装置用の、二つの磁極端を持つＵ字形磁石であって、
クロスビーム及び少なくとも一つのアームを持つヨークと、
前記ヨークの前記アームに取り付けられる磁極端であって、前記アームは当該磁極端と一体でなく、及び／又は前記クロスビームと一体でない、磁極端と、
少なくとも一つのコイルと
を有する、Ｕ字形磁石。
【請求項２】
取り付けられる前記磁極端と前記ヨークが異なる材料から、好適には鉄及びコバルト‐鉄合金から成ることを特徴とする、請求項１に記載のＵ字形磁石。
【請求項３】
取り付けられる前記磁極端が前記ヨークにねじ止めされ、特にばね仕掛けアームを用いてクランプされ、及び／又は材料結合によって取り付けられることを特徴とする、請求項１に記載のＵ字形磁石。
【請求項４】
取り付けられる前記磁極端を関連する前記アームに対して押し付けるように、マウンティングブロックが前記ヨークの二つのアーム間に配置されることを特徴とする、請求項１に記載のＵ字形磁石。
【請求項５】
前記ヨーク、そのクロスビーム、そのアーム、及び／又は取り付けられる前記磁極端が円筒形であることを特徴とする、請求項１に記載のＵ字形磁石。
【請求項６】
前記磁極端が前記アームに取り付けられないとき、及び／又は前記アームが前記クロスビームに取り付けられないとき、前記コイルが前記アームにフィットすることを特徴とする、請求項１に記載のＵ字形磁石。
【請求項７】
前記ヨークの二つのアーム及び／又は前記磁極端の間に据え付けられるレンズを有することを特徴とする、請求項１に記載のＵ字形磁石。
【請求項８】
平面基準ファセットを有することを特徴とする、請求項１に記載のＵ字形磁石。
【請求項９】
取り付けられる前記磁極端が前記アームに沿って若しくは垂直に若しくは傾斜して延在することを特徴とする、請求項１に記載のＵ字形磁石。
【請求項１０】
試料用の収容空間と、
前記収容空間に隣接して配置される請求項１に記載のＵ字形磁石と、
前記収容空間の方へ向かって及び／又は前記収容空間から離れるように光をガイドするための光学系と
を有する、センサ装置。
【請求項１１】
前記光学系が前記Ｕ字形磁石の前記磁極端の間に据え付けられるレンズを有することを特徴とする、請求項１０に記載のセンサ装置。
【請求項１２】
少なくとも一つのアームを持つヨークを製造するステップと、
少なくとも一つの磁極端を製造するステップと、
当該磁極端を前記ヨークの前記アームに取り付けるステップと
を有する、Ｕ字形磁石を製造するための方法。
【請求項１３】
クロスビームを製造するステップと、
アームを持つ少なくとも一つの磁極端を製造するステップと、
当該アームを前記クロスビームに取り付けるステップと
を有する、Ｕ字形磁石を製造するための方法。
【請求項１４】
前記ヨーク、前記クロスビーム、及び／又は前記磁極端が、放電加工、機械加工、金属射出成形、及び積層造形から成る群から選択される手順によって製造されることを特徴とする、請求項１２又は１３に記載の製造方法。
【請求項１５】
分子診断、生物試料分析、化学試料分析、食品分析、及び／又は法医学分析のための、請求項１に記載のＵ字形磁石及び／又は請求項１０に記載のセンサ装置の使用。
【発明の詳細な説明】
【技術分野】
【０００１】
本発明はＵ字形磁石、Ｕ字形磁石を有するセンサ装置、及びＵ字形磁石を製造するための方法に関する。
【背景技術】
【０００２】
ＷＯ２０１１／０３６６３４Ａ１は、試料を伴うカートリッジが中で調べられることができるバイオセンサ装置を開示する。ギャップで分離される少なくとも二つの磁気サブユニットを有する特定の磁石アセンブリが、カートリッジ内に磁場を生成しながら同時に顕微鏡対物レンズを用いて光学モニタリングを可能にするために使用される。
【発明の概要】
【発明が解決しようとする課題】
【０００３】
特にバイオセンサ装置のカートリッジにおいてコスト効率のよい磁場生成を可能にする手段を提供することが有利であり得る。
【課題を解決するための手段】
【０００４】
この目的は請求項１に記載のＵ字形磁石、請求項１０に記載の装置、請求項１２に記載の方法、及び請求項１５に記載の使用によって対処される。好適な実施形態は従属請求項に開示される。
【０００５】
第一の態様によれば、上述の目的は以下の構成要素を有する（少なくとも）二つの磁極端を持つＵ字形磁石によって対処される：
‐少なくとも一つのアームを持つヨーク。
‐ヨークの当該アームに取り付けられるが当該アームと一体ではない磁極端。
‐少なくとも一つのコイル。
【０００６】
関連する第二の態様によれば、上述の目的は以下の構成要素を有する（少なくとも）二つの磁極端を持つＵ字形磁石によって対処される：
‐クロスビームと少なくとも一つのアームを持つヨーク。
‐ヨークの当該アームに取り付けられる磁極端、アームは当該磁極端と一体ではない、及び／又は、アームはクロスビームと一体ではない。
‐少なくとも一つのコイル。
【０００７】
言い換えれば、Ｕ字形磁石のヨークの少なくとも一つのアームは、
（ａ）ヨークのクロスビームに取り付けられるが一体ではなく、一方関連する磁極端に取り付けられかつ一体である；
（ｂ）ヨークのクロスビームに取り付けられかつ一体であり、一方関連する磁極端に取り付けられるが一体ではない；
（ｃ）ヨークのクロスビームに取り付けられるが一体ではなく、一方関連する磁極端に取り付けられるが一体ではない。
【０００８】
以下の説明はこれら三つの選択肢の各々に、そのうちの一つ若しくは二つについてしか詳細に記載されない場合であっても、当てはまる。
【０００９】
この文脈において、"Ｕ字形磁石"という語は一般に、ギャップによって分離される"磁極端"とよばれる少なくとも二つの磁気サブユニットを有する磁石アセンブリをあらわすものとする。Ｕ字形磁石は特に、引用により本願に組み込まれるＷＯ２０１１／０３６６３４Ａ１に記載のバイオセンサのようなセンサ装置での使用のために設計され得る。
【００１０】
Ｕ字形磁石のヨークは典型的には、互いに平行に延在し、クロスビームによって接続される二つのアームを持つＵ字形であり、磁極端は各アームの遠位端に配置される。
【００１１】
磁極端がヨークの関連するアームと"一体"ではない、又はアームがクロスビームと"一体"ではないとの特徴は、アームと磁極端若しくはクロスビームが、それぞれ、一体成形ではない、すなわちモノリシックではないことを意味する。従ってこれらは原子若しくは分子レベルで均一な材料片（単一溶融塊から鋳造される金属片など）から成るものではない。
【００１２】
上記Ｕ字形磁石のヨークと磁極端及び／又はクロスビームとアーム（磁極端の有無を問わない）は一体でないので別々に事前に製造されることができる。これは特に例えばバイオセンサ装置において必要な特殊形状を持つＵ字形磁石の場合に製造労力とコストに関してかなりの利点を持つ。Ｕ字形磁石は厚い材料の単一ブロックから製造される必要がなく、より薄い材料のブロックから製造されることができ、これは特に磁石が複雑な三次元形状を持つ場合に廃材の量を最小限に抑える。さらに、ヨークと磁極端それぞれ、又はクロスビームとアーム（磁極端の有無を問わない）それぞれの製造のために最良の個々の製造方法が使用されることができる。
【００１３】
上記開示は、Ｕ字形磁石が、取り付けられるヨークのアームと一体でない単一磁極端だけを持つ場合を有する。好適には、Ｕ字形磁石の全磁極端がこのように設計され、すなわちそれらはヨークの関連するアームに取り付けられるが当該アームと一体ではない。従って、互いに取り付けられる"磁極端"若しくは"アーム"について以下に与えられる説明はこの類の各磁極端若しくはアームについて当てはまる。
【００１４】
同様に、上記開示は、Ｕ字形磁石が、取り付けられるヨークのクロスビームと一体でない単一アームだけを持つ場合を有する。好適には、この場合Ｕ字形磁石の全アームがこのように設計され、すなわちそれらはヨークの関連するクロスビームに取り付けられるが当該クロスビームと一体ではない。従って"アーム"について以下に与えられる説明はこの類の各アームに当てはまる。
【００１５】
コイルは通常ヨークのアームのまわりに巻きつく。また、典型的にはヨークの各アームのまわりに一つのコイルがある。
【００１６】
さらに、Ｕ字形磁石の幾何学形状は好適には二つの磁極端の間にある面に関して（鏡面）対称である。
【００１７】
Ｕ字形磁石のコイルは電流を供給されるときに磁場を生成する。この磁場を所望の方法でガイド若しくは成形するために、Ｕ字形磁石のヨーク及び／又は磁極端は好適には磁化可能材料を有するか若しくは磁化可能材料から成る。これは特に鉄、コバルト、若しくはニッケル又はそれらの合金のような強磁性材料であり得る。
【００１８】
Ｕ字形磁石の当初別々の（すなわち一体でない）部分はオプションとして以下の特徴の少なくとも一つを持ち得る：
‐異なる材料から成る；
‐異なる方法によって製造される；
‐円筒形である；
‐ねじ、クランプ、及び／又は材料結合によって互いに取り付けられる。
【００１９】
特に、磁極端とヨークはオプションとして異なる材料から成り得る。付加的に若しくは代替的に、アームとクロスビーム及び／又はアームと磁極端は異なる材料から成り得る。従ってその技術的機能に関してただしコストに関しても最適な材料がヨークと磁極端及び／又はアームとクロスビーム及び／又はアームと磁極端について別々に選ばれることができる。ヨークは例えば鉄から製造され得るが磁極端は（より高価な）コバルト‐鉄合金から作られる。
【００２０】
（例えばヨークと磁極端について）異なる材料でＵ字形磁石の上述の構成が可能であるが、ヨークと磁極端が同じ材料、特に鉄から成る場合に好適な単純でコスト効率のよい設計が実現される。
【００２１】
磁極端とヨーク及び／又はアームとクロスビームが互いに取り付けられ得る方法にはいくつかの可能性がある。磁極端及び／又はクロスビームは例えばヨークのアームにねじで取り付けられることができ、故に後の分解を可能にする。付加的に若しくは代替的に、アームは材料結合によって、例えば接着、溶接、若しくははんだ付けによって磁極端及び／又はクロスビームに取り付けられ得る。なお別の実施形態において、アームはクランプによって、例えばばね仕掛けであるアームへのクランプによって、磁極端及び／又はクロスビームに取り付けられ得る。
【００２２】
好適な実施形態において、ヨークの関連するアームに対して磁極端を（又は両磁極端がヨークに非一体的に取り付けられる場合はそれらの関連するアームに対して両磁極端を）押し付けるように、ヨークの二つのアーム間にマウンティングブロックが配置され得る。従って磁極端はヨークに対して明確に定義された位置に配置されることができ、マウンティングブロックはさらに他の構成要素の取り付けのためにも使用されることができる。この実施形態において押圧はアームの弾力性によって生成され得る。マウンティングブロックは、Ｕ字形磁石によって生成される磁場に影響を及ぼさないよう、典型的には非磁性材料から、例えばアルミニウムから製造される。
【００２３】
ヨーク、そのクロスビーム、その少なくとも一つのアーム、及び／又は磁極端は、単純な製造を可能にするために好適には円筒形であり得る。この文脈において、"円筒形"という語はその広義の数学的意味で使用され、すなわち平行線から成る面によって接続される合同な上面と底面を持つ物体をあらわす。上面と底面が例えば円盤である場合、狭義の円柱が得られる。広義の円筒とは、ここで適用される通り、"押出体"ともよばれることがある。
【００２４】
コイルはヨークの対応するアームのまわりに直接巻き付けられ得る。しかしながら好適な実施形態において、ヨーク及び取り付けられる磁極端の設計は、磁極端がそれに取り付けられないとき及び／又はアームがクロスビームに取り付けられないときにコイルがヨークのアームにフィットするようになっている。これはコイルの事前製造と、この事前に製造された、すなわち既にヨークのアームに巻き付けられたコイルを後で配置することを可能にし、そのコイルに磁極端若しくはクロスビームがその後接続されることができる。従ってしばしば繊細で壊れやすい磁極端の機構がコイルの巻き付け中に損傷から保護される。
【００２５】
Ｕ字形磁石はオプションとしてヨークの二つのアームの間及び／又はヨークの二つの磁極端の間に据え付けられる少なくとも一つのレンズをさらに有し得る。レンズは磁極端に隣接する試料との光学的相互作用を可能にし、同時にＵ字形磁石によって生成される磁場が当該試料に到達し得る。
【００２６】
Ｕ字形磁石は、別の構成要素、例えば試料に対して磁石の整列若しくは調節を可能にするために好適には平面基準ファセットを有し得る。基準ファセットは特にヨーク若しくは磁極端上に設けられ、中に試料が配置される面に平行であり得る。
【００２７】
一実施形態において、取り付けられる磁極端はヨークの対応するアームに沿って延在し得る。別の実施形態において、磁極端は当該アームに垂直に（好適な実施形態）若しくは傾斜して延在し得る。
【００２８】
第三の態様によれば、本発明の一実施形態は以下の構成要素を持つセンサ装置を有する：
‐試料用の収容空間。
‐上述の収容空間に隣接して配置される上記類のＵ字形磁石（すなわちヨークと磁極端を持ち、ヨークの少なくとも一つのアームが磁極端及び／又はヨークのクロスビームに取り付けられるが当該磁極端及び／又はクロスビームと、及びコイルと一体ではない）。
‐収容空間の方へ向かって及び／又は収容空間から離れるように光をガイドするための光学系。
【００２９】
センサ装置の収容空間は特に検査される試料を格納するカートリッジを収容するように設計され得る。さらに、光学系は好適にはＵ字形磁石の磁極端の間の空間を通して光をガイドするように設計される。
【００３０】
好適な実施形態において、センサ装置の光学系はＵ字形磁石の磁極端の間に据え付けられるレンズを有する。かかるレンズを用いて、顕微鏡対物レンズのような場所をとる構成要素の必要なしに収容空間内の試料を結像することが可能である。
【００３１】
第四の態様によれば、本発明の一実施形態はＵ字形磁石の製造のための第一の方法に関する。方法は列挙された若しくは任意の他の適切な順序で実行され得る以下のステップを有する：
‐少なくとも一つのアームを持つヨークの製造。
‐少なくとも一つの磁極端の製造。
‐ヨークの当該アームへの当該磁極端の取り付け。
【００３２】
第五の態様によれば、本発明の一実施形態はＵ字形磁石の製造のための第二の方法に関する。方法は列挙された若しくは任意の他の適切な順序で実行され得る以下のステップを有する：
‐クロスビームの製造。
‐アームを持つ少なくとも一つの磁極端の製造。
‐クロスビームへの当該アームの取り付け。
【００３３】
方法は特に上記類のＵ字形磁石を製造するために適用され得る。方法と上記Ｕ字形磁石は同じ発明概念、すなわち別々のヨークと磁極端及び／又は別々のアームとクロスビームからの磁石アセンブリの構成、の異なる実現である。従ってこれらの実現の一つについて提供される説明と定義は他の実現にも当てはまる。
【００３４】
製造方法は好適には磁極端が上記アームに取り付けられる前に（第一の方法）及び／又はアームがクロスビームに取り付けられる前に（第二の方法）ヨークのアーム上に巻きコイルを位置付けるステップをさらに有し得る。これはコイルの巻き付けが、ヨーク及び／又は磁極端の場合により繊細な構成要素に影響を及ぼすことなく別々になされることができるという利点を持つ。
【００３５】
ヨークと磁極端及び／又はクロスビームとアームを伴う磁極端の別々の製造は、任意の適切な方法によってなされることができる。特に、ヨーク、クロスビーム、及び／又は磁極端（アームの有無を問わない）は、
‐放電加工（ＥＤＭ）；
‐機械加工；
‐金属射出成形；
‐積層造形、例えば電子ビーム溶解（ＥＢＭ）、直接金属レーザ焼結（ＤＭＬＳ）、選択的レーザ溶解（ＳＬＭ）、選択的レーザ焼結（ＳＬＳ）、直接レーザ堆積（ＤＬＤ）、レーザエンジニアリングネットシェイプ（ＬＥＮＳ）、直接金属堆積（ＤＭＤ）、若しくはレーザ金属堆積（ＬＭＤ）
によって製造されることができる。
【００３６】
別々の部分（例えばヨークと磁極端）はオプションとして同じ手順によって製造されることができる。しかしながらこれらの部分に対して（例えばヨークに対して及び磁極端に対して）異なる製造技術を使用する機会もある。コイルワイヤの切断を防止する丸いエッジなどの追加特徴が例えばヨークに含まれることができ、例えば金属射出成形にとって好適となり、一方関連する磁極端は例えば精度のためにワイヤＥＤＭを用いて作られ得る。
【００３７】
本発明はさらに分子診断、生物試料分析、化学試料分析、食品分析、及び／又は法医学分析のための上記Ｕ字形磁石及び／又はセンサ装置の使用に関する。分子診断は例えば標的分子に直接若しくは間接的に結合する磁気ビーズ若しくは蛍光粒子を用いて達成され得る。
【００３８】
本発明のこれらの及び他の態様は以降に記載の実施形態から明らかとなりそれらを参照して説明される。
【図面の簡単な説明】
【００３９】
【図１】本発明の第一の実施形態にかかるＵ字形磁石の斜視図を示す。
【図２】図１のＵ字形磁石のヨークを別々に示す。
【図３】図１のＵ字形磁石の磁極端を別々に示す。
【図４】図１のＵ字形磁石のコイルを別々に示す。
【図５】図１のＵ字形磁石を有するセンサ装置を横断する斜視図を示す。
【図６】本発明の第二の実施形態にかかるＵ字形磁石の斜視図を示す。
【発明を実施するための形態】
【００４０】
類似する参照数字若しくは１００の整数倍だけ異なる数字は図面において同一若しくは同様の構成要素をあらわす。
【００４１】
ＷＯ２０１１／０３６６３４Ａ１はカートリッジ内の磁気ビーズを結像するための顕微鏡対物レンズを収容するＵ字形磁石を開示する。磁極端の間のギャップは顕微鏡対物レンズでの結像を可能にするため、及び十分に均一な磁場のためにかなり広い必要がある。顕微鏡対物レンズを可能にするために、磁石は複雑な三次元形状を持つ。また磁石は比較的大きい。磁極端の間のギャップにおける磁場の要件は、磁石が約２０μｍの磁極端位置及び距離の厳密な公差を持つことを示唆する。
【００４２】
形状、サイズ、公差及び材料はこの磁石を比較的高価な部品にする。材料は希少であり故に高価である。公差と、製造プロセスにおいて材料の磁気特性が影響を受けてはならないという事実は、従来の製造方法が放電加工（ＥＤＭ）であることを示唆し、これは正確であるが遅く故に高価な方法である。部品のサイズと形状はベース材料の量が比較的大きく（典型的な設計の磁石の場合約２６００ｍｍ３）、このベース材料の多くが無駄になることを示唆する。
【００４３】
上記問題に対処するため、及びバイオセンサにおいて使用されることができる磁石のコストを削減するために、以下の措置の一つ以上をとることが提案される：
‐廃材の量を減らすために磁石を複数の部分、例えば二つの磁極端とヨークにわける。
‐（例えば比較的単純なＥＤＭ機器による）容易な加工のために磁極端及び／又はヨークに二次元形状を与える。
‐カートリッジに対する磁極ギャップの正確な位置付けのために磁極端上に基準面を作り、比較的大きな公差を持つヨークをもたらす。
‐分離された巻線ツール上でのコイルの製造を可能にし、完了したときにそれらをヨークに位置付け、その結果コイルを巻くプロセスにおいて高精度の磁石にいかなるストレスも加えない。
【００４４】
図１は上記原理に従って設計されるＵ字形磁石１１０を概略的に示す。磁石は以下の構成要素を有する：
‐クロスビーム１２１によって接続される二つの平行アーム１２２を持つヨーク１２０。アーム１２２の遠位端は凹部１２３を有する。
‐アーム１２２に、上述の凹部１２３において、脚１３２で鏡面対称に取り付けられる二つの磁極端１３０。磁極端１３０はアーム１２２に垂直に延在する。
‐ヨーク１２０のアーム１２２のまわりに位置する二つのコイル１４０。
【００４５】
図示の実施形態において、磁極端１３０は非磁性材料から、例えばアルミニウムから成るマウンティングブロック１５０を用いてヨークのアーム１２２に取り付けられる。マウンティングブロックは光の通過のための中心ボア１５１を有する。ヨーク１２０と磁極端１３０の両方は好適には鉄から作られる。
【００４６】
同様のサイズの単体Ｕ字形磁石と比較して、提案される磁石１１０に必要な原材料のボリュームは約３０％少ない。
【００４７】
図５は単一粒子検出用システム（バイオセンサ装置１００）のハウジング１６０の中にＵ字形磁石１１０が据え付けられる方法を示す。装置１００は収容空間を有し、その中に交換可能なカートリッジＣが置かれている。磁極端１３０の基準面１３１、並びに補助マウンティングブロック１５０を用いてヨークに磁極端をクランプするクランプねじ６２も示される。この補助ブロックは磁極端の下部の間に置かれる。
【００４８】
提案される低コスト磁石１１０は好適には、顕微鏡対物レンズの必要性に取って代わる、小型の、単レンズ結像光学系と組み合わされる。図示の通り、二つ以上のかかる結像レンズ１６１が補助マウンティングブロック１５０より上に磁極端の間に置かれる。カートリッジＣ内の関心領域を照らすための光線ＬＩ及び当該領域を結像するための検出光による光円錐ＬＤも図示される。磁気ビーズを結像するための小型レンズ１６１はＵ字形磁石のサイズの縮小を可能にする。
【００４９】
図６は本発明の第二の実施形態にかかるＵ字形磁石２１０の斜視図を示す。磁石２１０は以下の構成要素を有する：
‐クロスビーム２２１と二つのアーム２２２から成るヨーク２２０。
‐鏡面対称にアーム２２２の両端に配置される二つの磁極端２３０。
【００５０】
第一の実施形態と対照的に、各磁極端２３０はここでは関連するアーム２２２と一体的に形成され、一方クロスビーム２２１とアーム２２２は互いに取り付けられるが一体ではない（すなわちワンピースでない）。さらに、クロスビーム２２１はオプションとして顕微鏡対物レンズ若しくはレンズ（不図示）などの光学系のためのアクセスを可能にする穴Ｈを有する。かかる穴のない実施形態（ただし大型のクロスビーム）も勿論可能である。
【００５１】
第一の実施形態と同様に、磁石２１０の別々の部分（すなわち一方の側でクロスビーム２２１及び他方の側で一体アーム２２２を伴う磁極端２３０）は容易に製造されることができる円筒形状を持つ。クロスビーム２２１はオプションとして磁極端／アームと異なる材料から作られるか、及び／又は異なる方法によって製造されることができる。
【００５２】
本発明の上記実施形態は様々な方法で修正されることができる、例えば：
‐最大磁場強度のために、ヨークと磁極端の両方がＣｏＦｅ（５０％コバルト‐５０％鉄合金）から作られることができる、又はヨークはＦｅから作られることができ、一方磁極端はＣｏＦｅから作られる、又はクロスビームはＦｅから作られることができ、一方磁極端とアームはＣｏＦｅから作られる、など。
‐補助ブロックがもはや必要ないように、磁極端とヨーク（又はクロスビームとアーム）は材料結合によって、例えば接着によって互いに取り付けられ得る。
‐磁極端とヨークは直角に配向される代わりに一直線に配列されてもよく、その結果容易な製造とコイルの容易な据え付けを可能にする。
‐ヨーク及び／又は磁極端（又はクロスビームとアームを伴う磁極端）は機械加工によって、金属射出成型によって、及び／又は積層造形（電子ビーム溶解、直接金属レーザ焼結、選択的レーザ溶解、選択的レーザ焼結、直接レーザ堆積、レーザエンジニアリングネットシェイプ、直接金属堆積、若しくはレーザ金属堆積のような）によって作られ得る。それらは同じ若しくは異なる手順によって製造されることができる。
【００５３】
要約すると、三つの単純な部品、例えば（例えば鉄）ヨークと二つの（例えばコバルト‐鉄）磁石端で作られる低コストＵ字形磁石の実施形態が記載されている。この設計のコスト削減は、（１）大きな磁束が必要ないＵ字形磁石の部分のために安価な鉄を使用し、より高価なコバルト‐鉄は大きな磁場を要する磁極端付近のみに選択的に使用すること、（２）製造における材料の無駄を減らすために磁石を三つの部分にわけること、（３）公差を緩和するために磁石端近くを基準にすることによって実現される。上記磁石は例えば磁気バイオセンサ、特に単一粒子検出用の磁気バイオセンサに適用されることができる。
【００５４】
本発明は図面と先の説明において詳細に図示され記載されているが、かかる図示と記載は例示若しくは説明であって限定ではないとみなされるものとし、本発明は開示の実施形態に限定されない。開示の実施形態への他の変更は、図面、開示、及び添付の請求項の考察から、請求される発明を実践する上で当業者によって理解されもたらされることができる。請求項において、"有する"という語は他の要素若しくはステップを除外せず、不定冠詞"ａ"若しくは"ａｎ"は複数を除外しない。単一のプロセッサ若しくは他のユニットは請求項に列挙される複数の項目の機能を満たし得る。特定の手段が相互に異なる従属請求項に列挙されるという単なる事実は、これら手段の組み合わせが有利に使用されることができないことを示すものではない。請求項における任意の参照符号は範囲を限定するものと解釈されてはならない。
【図１】
2016512654.tif 000003
【図２】
2016512654.tif 000004
【図３】
2016512654.tif 000005
【図４】
2016512654.tif 000006
【図５】
2016512654.tif 000007
【図６】
2016512654.tif 000008
【国際調査報告】
2016512654.tif 000009
2016512654.tif 000010
2016512654.tif 000011